(57)【要約】【課題】  チルタードラムが、スラット水平位置から前後方向に半回転するとき、スラットの傾斜が最大となるベネシャンブラインドにおいて、スラットの横断面が山形であっても、昇降コードによりスラットの最大傾斜が妨げられないチルタードラムを提供する。【解決手段】  チルタードラムにらせん状に巻く外周面を設け、軸方向に見ると、その外周面の中央部は楕円形、左右端部は面対称の半楕円形、中央部と左右端部の間の左右中間部は面対称の半円形であり、中央部の短径、端部の長径、中央部の長半径と端部の短半径の和、スラット最大傾斜時のラダーコード前後紐間隔、それぞれを中間部の直径と同じとし、前紐の上端部を左右端部の一方に後紐の上端部を左右端部の他方にそれぞれ係止する。【選択図】      図３
2006336348.tif 000002
【特許請求の範囲】
【請求項１】
ヘッドボックスに回転可能に支持されるチルタードラムと、前記チルタードラムに巻き取り可能に吊り下げられるラダーコードと、前記ラダーコードの前紐と後紐の間を梯子状に渡る各段の横糸に支持されて上下に並ぶスラットと、前記ヘッドボックスから各スラットの昇降コード通し穴を貫通してボトムレールを吊り下げる昇降コードとからなり、前記チルタードラムがスラット水平の基準角度位置から前後に半回転するとき、前記スラットが水平位置から前後に最大傾斜するベネシャンブラインドにおいて、前記チルタードラムはらせん状に巻く外周面を備え、軸方向に見ると、前記外周面の中央部は楕円形、左右端部は面対称の半楕円形、前記中央部と前記左右端部の間の左右中間部は面対称の半円形であり、前記中央部の短径、前記端部の長径、前記中央部の長半径と前記端部の短半径の和、スラット最大傾斜時の前記前後紐間隔は、いずれも前記中間部の直径と等しく、前記前紐の上端部は前記左右端部の一方に前記後紐の上端部は前記左右端部の他方にそれぞれ係止され、前記昇降コードは前記チルタードラムの中心を通る鉛直線に沿い、前記スラットが水平位置にあるとき、前記前後紐は前記中間部の前後面から垂下し、前記スラットが前側に最大傾斜するとき、前記前紐は前記端部前面から前記後紐は前記中央部後面からそれぞれ垂下し、前記スラットが後側に最大傾斜するとき、前記前紐は前記中央部前面から前記後紐は前記端部後面からそれぞれ垂下することを特徴としてなるベネシャンブラインドのチルタードラム。
【請求項２】
チルタードラムが基準角度位置にあるとき、左右端部は長径が鉛直となり、中央部は長径が水平となることを特徴としてなる請求項１に記載のベネシャンブラインドのチルタードラム。
【請求項３】
チルタードラムの左右にフックを設け、前記フックの外周面両端と対応する位置に前後紐の上端部を係止することを特徴としてなる請求項１又は２に記載のベネシャンブラインドのチルタードラム。
【請求項４】
外周面の左右の境界にリブ状のガイドを設けることを特徴としてなる請求項１ないし３のいずれか一つに記載のベネシャンブラインドのチルタードラム。
【発明の詳細な説明】
【技術分野】
【０００１】
本発明は、ベネシャンブラインドのスラットを傾斜させるチルタードラムに関する。
【背景技術】
【０００２】
ベネシャンブラインドのヘッドボックスから垂下するスラット列は、ラダーコードに吊り下げられ、ボトムレールは、各スラットを貫通する昇降コードに吊り下げられる。ラダーコードは、前後２本の縦紐とその前後の紐の間を梯子状に渡る横糸とからなり、その横糸は、スラット列の各段のスラットを支持する。前後の紐の上端部は、チルター軸と一体回転するチルタードラムに掛けられ、チルター軸が前方に回転すると、前側の紐が後側の紐に対して相対的に下がり、スラットは前傾し、チルター軸が後方に回転すると、前側の紐が後側の紐に対して相対的に上がり、スラットは後傾する。
【０００３】
従来のチルタードラムは、チルター軸と同軸の円柱体であり、基準角度位置から前後方向に半回転するとき、スラットは水平位置から前後方向に最大傾斜する。スラットは傾斜すると前後紐の間隔を狭める。スラットの最大傾斜時に前後紐の間隔がチルタードラムの外径と一致するように設定される。
【０００４】
スラットの横断面が平旦であれば、問題はない。しかし、図７に示すように、スラット４の横断面が山形であると、スラット４は、傾斜に伴い横断面の中心を通る鉛直線Ｐが前後紐間の中心線すなわちチルタードラムの中心を通る鉛直線Ｑからずれる。このため、鉛直線Ｑに沿う昇降コード５が昇降コード通し穴１１の前縁又は後縁に当たり、スラット４の最大傾斜を妨げ、ベネシャンブラインドの遮光性を低下させるという問題が起きる。これを避けるために、スラットの昇降コード通し孔を大きくすると、スラットの強度が低下するという問題となる。
【特許文献１】実開平０５−０２４８８９号公報
【発明の開示】
【発明が解決しようとする課題】
【０００５】
本発明は、上記問題を解決するためになされたものであり、その課題は、チルタードラムが、スラット水平位置から前後方向に半回転するとき、スラットの傾斜が最大となるように設定されるベネシャンブラインドにおいて、スラットの横断面が山形であっても、スラットの最大傾斜が昇降コードにより妨げられて遮光性が低下するおそれのないチルタードラムを提供することにある。
【課題を解決するための手段】
【０００６】
前記課題を達成するため、本発明が採用する手段は、チルタードラムにらせん状に巻く外周面を設け、軸方向に見ると、外周面の中央部は楕円形、左右端部は面対称の半楕円形、中央部と左右端部の間の左右中間部は面対称の半円形であり、中央部の短径、端部の長径、中央部の長半径と前記端部の短半径の和、スラット最大傾斜時の前後紐間隔は、いずれも中間部の直径と等しくなるように設定し、前紐の上端部は左右端部の一方に後紐の上端部は左右端部の他方にそれぞれ係止し、昇降コードはチルタードラムの中心を通る鉛直線に沿わせ、スラットが水平位置にあるとき、前後紐は中間部の前後面から垂下し、スラットが前側に最大傾斜するとき、前紐は端部前面から後紐は中央部後面からそれぞれ垂下し、スラットが後側に最大傾斜するとき、前紐は中央部前面から後紐は端部後面からそれぞれ垂下することを特徴とする。
【発明の効果】
【０００７】
チルタードラムが基準位置から前方に半回転してスラットが前側に最大傾斜するとき、横断面山形スラットの昇降コード通し穴は、スラット前後幅中心から前側にずれる。このとき、前後紐間隔はチルタードラム外周面中間部の直径に等しいが、前紐は端部短半径位置から垂下し、後紐はチルタードラムの中央部長半径位置から垂下するから、前後紐の中心は後側にずれる。その結果、横断面山形スラットの昇降コード通し穴は、傾斜による前側へのずれが前後紐の後側へのずれにより相殺され、チルタードラムの中心直下に位置し、その中心を昇降コードが貫通するから、昇降コードが昇降コード通し穴の前後縁に当接してスラットの前方最大傾斜を妨げて遮光率を低下させるおそれはない。
【０００８】
チルタードラムが基準位置から後方に半回転してスラットが後側に最大傾斜するときは、横断面山形スラットの昇降コード通し穴は、スラット前後幅中心から後側にずれるが、前紐はチルタードラム外周面の中央部長半径位置から垂下し、後紐は端部短半径位置から垂下するから、前後紐の中心は前側にずれ、昇降コード通し穴の傾斜による前側へのずれを相殺する。したがって、昇降コードは横断面山形スラットの昇降コード通し穴の中心を貫通するから、が昇降コードが昇降コード通し穴の前後縁に当接してスラットの後方最大傾斜を妨げて遮光率を低下させるおそれはない。
【発明を実施するための最良の形態】
【０００９】
チルタードラムの外周面は左から右へ軸心を３回らせん状に左又は右に巻く五つの連続する柱面として形成する。この場合、一番目の左端部は半楕円柱面、二番目の左中間部は半円柱面、三番目の中央部は楕円柱面、四番目の右中間部は半円柱面、五番目の右端部は半楕円柱面であり、左右端部の半楕円柱面の長径と、左右中間部の円柱面の直径と、中央部の短径と、中央部の長半径と左右端部の短半径の和は、いずれも同じ長さである。
【００１０】
チルタードラムが基準角度位置にあるとき、左右端部は長径が鉛直となり、中央部は長径が水平となることが好ましい。前後紐の上端部は、チルタードラムの左右にフックを設けて外周面両端と対応する位置に係止する。外周面の左右の境界にリブ状のガイドを設けると、前後紐の絡み合いとチルタードラムからの脱落を防止することができる。
【実施例】
【００１１】
本発明を図面に示す実施例に基づいて説明する。図１は、実施例のチルタードラムを備えるベネシャンブラインドの要部側断面図であり、スラットが水平な状態を示す。図２及び図３は、図１のベネシャンブラインドのスラット最前傾及び最後傾状態を示す。図４及び図５は、図１の実施例チルタードラムの立面図及び平面図、図６は、別の実施例の平面図、図７は、従来例のチルタードラムを備えるベネシャンブラインドの要部側断面図である。
【００１２】
図１に示すように、ベネシャンブラインド１のヘッドボックス２から垂下するスラット列は、ラダーコード３に吊り下げられ、スラット列最下段のボトムレールは、各スラット４を貫通する昇降コード５に吊り下げられる。ラダーコード３は、前後紐６ａ、６ｂとその間を梯子状に渡る横糸６ｃからなり、その横糸６ｃは、スラット列の各段のスラット４を支持する。前後紐の上端部７ａ、７ｂは、チルター軸８と一体回転するチルタードラム１０のフック９に掛けられる。チルタードラム１０が基準角度位置にあるとき、スラット４は傾斜せず水平である。昇降コード５はチルタードラムの中心を通る鉛直線に沿って垂下し、各スラット４の昇降コード通し穴１１を貫通する。
【００１３】
図２及び図３に示すように、チルタードラム１０が基準角度位置から前方に回転すると、前紐６ａが後紐６ｂに対して相対的に下がり、スラット４は前傾し、チルタードラム１０が基準角度位置から後方に回転すると、前紐６ａが後紐６ｂに対して相対的に上がり、スラット４は後傾する。スラット４は傾斜すると前後紐６ａ、６ｂの間隔を狭める。
【００１４】
図４及び図５に示すように、チルタードラム１０は、らせん状に少なくとも３巻きする外周面１２を備え、その外周面１２の中央部１３は一巻きの楕円柱面、左右の端部１５、１５は、軸方向に見ると、面対称な半巻きの半楕円柱面、左右の中間部１４、１４は、軸方向に見ると、面対称な半巻きの半円柱面である。中央部１３の短径と、中間部１４の直径と、端部１５の長径は、最大傾斜したスラットの前後幅に等しく、中央部１３の長半径と、端部１５の短半径の和は、中間部１４の直径に等しい。フック９、９の前後紐の上端部を係止する位置は左右の端部１５、１５に対応する。
【００１５】
図１に示すように、横断面山形スラット４が水平位置にあるとき、前後紐６ａ、６ｂは円柱状の中間部１４の前後面から垂下し、昇降コード通し穴１１の中心と、前後紐６ａ、６ｂ間の中心と、昇降コード５の中心は一致する。
【００１６】
しかし、図２に示すように、チルタードラム１０が前方に半回転してスラット４が前側に最大傾斜すると、横断面山形スラット４の昇降コード通し穴１１は、前後紐６ａ、６ｂ間の中心から前側にずれる。このとき、前紐６ａは小径な端部１５の短半径位置から垂下し、後紐６ｂは大径な中央部の長半径位置から垂下するから、前後紐間隔は中間部１４の直径に等しいが、前後紐６ａ、６ｂは後側にずれる。その結果、横断面山形スラット４の昇降コード通し穴１１の前側へのずれは、前後紐６ａ、６ｂの後側へのずれにより相殺され、昇降コード通し穴１１はチルタードラム１０の中心直下に位置し、その中心を昇降コード５が貫通する。したがって、昇降コード通し穴１１の端縁が昇降コード５に当接してスラット４の前方最大傾斜が妨げられるおそれも、そのために遮光率が低下するおそれも全くない。
【００１７】
図３に示すように、チルタードラム１０が基準角度位置から後方に半回転して横断面山形スラット４が後側に最大傾斜するとき、昇降コード通し穴１１は、前後紐６ａ、６ｂの中心から後側にずれるが、前紐６ａは大径な中央部１３の長半径位置から垂下し、後紐６ｂは小径な端部１５の短半径位置から垂下するから、前後紐間隔は中間部１４の直径に等しいが、前後紐６ａ、６ｂは前側にずれ、昇降コード通し穴１１の傾斜による後側へのずれを相殺する。したがって、昇降コード５は横断面山形スラット４の昇降コード通し穴１１の中心を貫通するから、昇降コード通し穴１１の端縁が昇降コード５に当接してスラット４の後方最大傾斜が妨げられるおそれも、そのために遮光率が低下するおそれもない。
【００１８】
図６に示すように、チルタードラム１０ａのらせん状に巻く外周面１２ａの左右の境界にリブ状のガイド１６を設けると、前後紐同士の絡み合いとチルタードラム外周面１２からの脱落を防止することができる。
【図面の簡単な説明】
【００１９】
【図１】本発明実施例のチルタードラムを備えるベネシャンブラインドの要部側断面図、
【図２】図１のベネシャンブラインドのスラット最前傾状態を示す要部側断面図、
【図３】図１のベネシャンブラインドのスラット最後傾状態を示す要部側断面図、
【図４】図１の実施例チルタードラムの立面図、
【図５】図１の実施例チルタードラムの平面図、
【図６】別の実施例図の平面図。
【図７】従来例のチルタードラムを備えるベネシャンブラインドの要部側断面図。
【符号の説明】
【００２０】
１：ベネシャンブラインド
２：ヘッドボックス
３：ラダーコード
４：スラット
５：昇降コード
６ａ：前紐
６ｂ：後紐
６ｃ：横糸
７ａ：前紐上端部
７ｂ：後紐上端部
８：チルター軸
９：フック
１０、１０ａ：チルタードラム
１１：昇降コード通し穴
１２、１２ａ：外周面
１３：中央部
１４：中間部
１５：端部
１６：ガイド
【図１】
2006336348.tif 000003
【図２】
2006336348.tif 000004
【図３】
2006336348.tif 000005
【図４】
2006336348.tif 000006
【図５】
2006336348.tif 000007
【図６】
2006336348.tif 000008
【図７】
2006336348.tif 000009